(57)【要約】【課題】太陽エネルギーを効率的に充填し、持ち運び容易なロータスパネルを提供する。【解決手段】柱状に形成される軸部材３０と、軸部材３０の一方の端部側にそれぞれの一端が配置され、開くことにより面状に形成される複数のソーラーパネルからなる上段ソーラーパネル及び下段ソーラーパネルと、軸部材の前記端部側に配置され、前記上段ソーラーパネルと前記軸部材、及び前記下段ソーラーパネルと前記軸部材をそれぞれ連結する連結部材とを備える。連結部材は、上段ソーラーパネル１０１を、面状に開いた状態から、軸部材３０の端部より先の延伸方向側に回転させる第１の回転部材１５と、下段ソーラーパネル２０１を、面状に開いた状態から、軸部材３０の本体側の方向に回転させる第２の回転部材２５と、を備えるソーラーパネルシステムを提供する。【選択図】図３
2019122143.tif 000002
【特許請求の範囲】
【請求項１】
柱状に形成される軸部材と、
前記軸部材の一方の端部側にそれぞれの一端が配置され、開くことにより面状に形成される複数のソーラーパネルからなる上段ソーラーパネルと、
前記軸部材の前記端部側にそれぞれの一端が配置され、開くことによりそれぞれが、前記上段ソーラーパネルからなる面に関して各ソーラーパネルの間隙に配置されて面状に形成される下段ソーラーパネルと、
前記軸部材の前記端部側に配置され、前記上段ソーラーパネルと前記軸部材、及び前記下段ソーラーパネルと前記軸部材をそれぞれ連結する連結部材を備え、
前記連結部材は、
前記上段ソーラーパネルを、面状に開いた状態から、前記軸部材の前記端部より先の延伸方向側に回転させる第１の回転部材と、
前記下段ソーラーパネルを、面状に開いた状態から、前記軸部材の本体側の方向に回転させる第２の回転部材と、
を備えることを特徴とするソーラーパネルシステム。
【請求項２】
前記軸部材には、前記上段ソーラーパネル及び前記下段ソーラーパネルの各受光面に基づいて発生する電力を貯蔵するバッテリーを内蔵する、
ことを特徴とする請求項１に記載のソーラーパネルシステム。
【請求項３】
前記上段及び下段ソーラーパネルを面状に開く場合に、前記上段及び下段ソーラーパネルのそれぞれを、前記軸部材を中心として放射方向にスライドさせるためのスライド手段を、
さらに備えることを特徴とする請求項１に記載のソーラーパネルシステム。
【請求項４】
前記上段及び下段ソーラーパネルの各ソーラーパネルは、前記スライド手段によってスライドさせたときに、開いた状態に固定させ、再度のスライドにより開いた状態の固定を解除する、スライド固定手段をさらに備える、
ことを特徴とする請求項３に記載のソーラーパネルシステム。
【請求項５】
前記上段及び下段ソーラーパネルは、回転させることにより閉じたときに、前記軸部材と一体として、持ち運び可能な円筒形状を有する容器に収納可能である、
ことを特徴とする請求項４に記載のソーラーパネルシステム。
【請求項６】
前記軸部材の他の端部に、前記ソーラーパネルシステムを地面に対して支える三脚を備え、
前記バッテリーは、インターフェースを通して、前記上段及び下段ソーラーパネルのモジュール部分から外部機器へと電力供給を可能とし、前記三脚に取り付け前記上段及び下段ソーラーパネルと連結可能である、
ことを特徴とする請求項２に記載のソーラーパネルシステム。
【発明の詳細な説明】
【技術分野】
【０００１】
本発明は、太陽エネルギーを充填するソーラーパネルに関する。
【背景技術】
【０００２】
近年、モバイルバッテリーの充電にソーラーパネルを使用し、太陽エネルギーを充電する傾向がある。モバイルの場合、屋根や、土地に根付かせ使用する巨大なソーラーパネルとは相違し、持ち運びを行うものなので、持ち運び時に小型化をする事やその小型化の容易性が求められる。
【０００３】
しかし、ソーラーパネル使用時、大出力を得ようとすると、どうしてもパネルの面積が大きくなりがちになり、また、面積が大きい事による持ち運びも不便になりがちとなる。
【０００４】
これに関連して特許文献１は、太陽エネルギーを電気エネルギーに変換する発電装置が折り畳み可能に構成されていることが開示されている。
【０００５】
また、該発電装置は、伸縮自在の三脚の脚に取り付けられることが開示されている。しかし、この発電装置は、持ち運びについて考慮された場合であっても、装置自体を小型化するもので無く、折り畳むものでも無く、モバイルバッテリーの充電には適さない。
【０００６】
特許文献２は、複数の薄板状のソーラーパネルを備え、その複数のソーラーパネルが１つの軸周りに旋回可能な縦長の支持体に支承され、軸周りに扇状に展開することが開示されている。
【０００７】
しかし、支持体が縦長となっており、複数の薄板状のソーラーパネルを折り畳んで収納し、持ち運ぶとした場合、大きな入れ物が必要となる。
【先行技術文献】
【特許文献】
【０００８】
【特許文献１】特開２００９−２９０２１４号公報
【特許文献２】特許第５６６１９２６号公報
【発明の概要】
【発明が解決しようとする課題】
【０００９】
そこで、効率良く太陽エネルギーを充填する可能な、花びら型のソーラーパネルを使用することが必要となる。また、ロータス形を用いる場合、持ち運びの利便性を追及した折り畳み式のソーラーパネルを使用することが必要となる。
【００１０】
さらに、持ち運びの利便性を追及した折り畳みの式のロータスパネルであっても、より小型化が求められる。よって、効率的に太陽エネルギーを充填するものであり、収納時スーツケースやケースバック等の大型の容器や入れ物に収納せず、小さな容器にも収納なソーラーパネルの提案が求められる。
【００１１】
本発明は、効率的に太陽エネルギーを充填し、持ち運び時の便利性を満たすソーラーパネルシステムを提供する。
【課題を解決するための手段】
【００１２】
本発明のソーラーパネルシステムは、柱状に形成される軸部材と、前記軸部材の一方の端部側にそれぞれの一端が配置され、開くことにより面状に形成される複数のソーラーパネルからなる上段ソーラーパネルと、前記軸部材の前記端部側にそれぞれの一端が配置され、開くことによりそれぞれが、前記上段ソーラーパネルからなる面に関して各ソーラーパネルの間隙に配置されて面状に形成される下段ソーラーパネルと、前記軸部材の前記端部側に配置され、前記上段ソーラーパネルと前記軸部材、及び前記下段ソーラーパネルと前記軸部材をそれぞれ連結する連結部材を備え、前記連結部材は、前記上段ソーラーパネルを、面状に開いた状態から、前記軸部材の前記端部より先の延伸方向側に回転させる第１の回転部材と、前記下段ソーラーパネルを、面状に開いた状態から、前記軸部材の本体側の方向に回転させる第２の回転部材と、を備えることを特徴とする。
【００１３】
本発明のソーラーパネルシステムは、前記軸部材には、前記上段ソーラーパネル及び前記下段ソーラーパネルの各受光面に基づいて発生する電力を貯蔵するバッテリーを内蔵する、ことを特徴とする。
【００１４】
本発明のソーラーパネルシステムは、前記上段及び下段ソーラーパネルを面状に開く場合に、前記上段及び下段ソーラーパネルのそれぞれを、前記軸部材を中心として放射方向にスライドさせるためのスライド手段を、さらに備えることを特徴とする。
【００１５】
本発明のソーラーパネルシステムは、前記上段及び下段ソーラーパネルの各ソーラーパネルは、前記スライド手段によってスライドさせたときに、開いた状態に固定させ、再度のスライドにより開いた状態の固定を解除する、スライド固定手段をさらに備える、
ことを特徴とする。
【００１６】
本発明のソーラーパネルシステムは、前記上段及び下段ソーラーパネルは、回転させることにより閉じたときに、前記軸部材と一体として、持ち運び可能な円筒形状を有する容器に収納可能である、ことを特徴とする。
【００１７】
本発明のソーラーパネルシステムは、前記軸部材の他の端部に、前記ソーラーパネルシステムを地面に対して支える三脚を備え、前記バッテリーは、インターフェースを通して、前記上段及び下段ソーラーパネルのモジュール部分から外部機器へと電力供給を可能とし、前記三脚に取り付け前記上段及び下段ソーラーパネルと連結可能である、ことを特徴とする。
【発明の効果】
【００１８】
本発明は、効率的に太陽エネルギーを充填し、持ち運び時の利便性を満たすソーラーパネルを提供できる。
【図面の簡単な説明】
【００１９】
【図１】本発明の実施形態にかかるソーラーパネルシステムの全体構成を示す図である。
【図２】本発明の実施形態にかかるソーラーパネルシステムの使用時の構成を示す断面図である。
【図３】本発明の実施形態にかかるソーラーパネルシステムの上段部材について説明するための断面図である。
【図４】本発明の実施形態にかかるソーラーパネルシステム本体および付属品を示す図である。
【図５】本発明の実施形態にかかるソーラーパネルシステムを収納する容器を示す図である。
【図６】本発明の実施形態にかかるソーラーパネルシステムの使用状態を示す第１の図である。
【図７】本発明の実施形態にかかるソーラーパネルシステムの使用状態を示す第２の図である。
【図８】本発明の実施形態にかかるバッテリー引き出し部を示す図である。
【図９】本発明の実施形態にかかるソーラーパネルシステムの下段部材について説明するための裏面の断面図である。
【発明を実施するための形態】
【００２０】
以下、本発明にかかる実施形態を、図面を参照して説明する。図１、図２を参照して、本実施形態にかかるソーラーパネルシステムの構成について説明する。図１は、本実施形態にかかるソーラーパネルシステムの全体構成を示す図である。図２は、本実施形態にかかるソーラーパネルシステムの使用時の構成を示す断面図である。
【００２１】
図１、図２に示す本実施形態にかかるソーラーパネルシステム１は、軸部材３０と、複数のソーラーパネルからなる上段部材１００と、複数のソーラーパネルからなる下段部材２００と、使用時において、地面に対して支持するための三脚３００と、充電を行うためのバッテリー４００とを備える。
【００２２】
軸部材３０は、柱状に形成されている。軸部材３０は、ソーラーパネルシステム１の構造全体を支持する中心軸を成す部材である。軸部材３０には、バッテリー４００が組み込まれて、バッテリー４００と一体となっている。図１では、軸部材３０のあるべき位置にバッテリー４００を示しているが、後述の図６及び図７に軸部材３０の位置関係について示す。軸部材３０は、上段部材１００および下段部材２００に連結されている。上段部材１００および下段部材２００は、軸部材３０と連結され、複数のソーラーパネルの各々と軸部材３０とを連結させる連結部材としての役割も有する。
【００２３】
上段ソーラーパネル１０１は、４枚のソーラーパネルからなる。４枚のソーラーパネルは、軸部材３０の一方の端部側にそれぞれの一端が配置され、使用者によって開かれた際、太陽光の放射方向に向けて面状に形成される。本実施形態にかかる上段ソーラーパネル１０１は、使用者によって開かれた際、地面に対して水平に形成される。
【００２４】
下段ソーラーパネル２０１は、４枚のソーラーパネルからなる。４枚のソーラーパネルは、軸部材３０の一方の端部側にそれぞれの一端が配置され、使用者によって開かれた際、太陽光の放射方向に向けて面状に形成される。本実施形態にかかる下段ソーラーパネル２０１は、使用者によって開かれた際、地面に対して水平に形成される。使用者によって開かれた際、１枚の下段ソーラーパネル２０１は、２枚の上段ソーラーパネル１０１の間隙に形成される。よって、全体として見た場合、４枚の下段ソーラーパネル２０１のそれぞれは、使用者によって開かれた際、４枚の上段ソーラーパネル１０１のそれぞれの間隙に形成される。
【００２５】
三脚３００は、使用時において、ソーラーパネルシステム１を地面に対して支持する。バッテリー４００は、ソーラーパネルシステム１使用時に、三脚３００に取り付けられ、上段部材１００と下段部材２００と連結される。よって、バッテリー４００は、ソーラーパネルシステム１使用時、上段ソーラーパネル１０１と下段ソーラーパネル２０１と連結される。バッテリー４００は、軸部材３０に内蔵され、少なくとも一体化して、上段ソーラーパネル１０１と下段ソーラーパネル２０１と連結される。バッテリー４００は、上段ソーラーパネル１０１と下段ソーラーパネル２０１の各受光面に基づいて発生する電力を貯蔵することを可能とする。
【００２６】
なお、本実施形態において、上段ソーラーパネル１０１および下段ソーラーパネル２０１は、それぞれ４枚ずつの場合を例にして説明するが、４枚に限定するものではない。例えば３〜６枚ずつ上段下段にそれぞれ配置されている構成にしても良い。ここで４枚と言うのは、使用者によって開かれた際、上段部材の前後左右のそれぞれにパネルが面状に形成された状態の枚数を言う。また、本実施形態のソーラーパネルにおいて、ソーラーパネル使用時、４枚の上段ソーラーパネル１０１と、４枚の下段ソーラーパネル２０１とは、水平方向の中心点からほぼ４５度回転させた場合に互いにほぼ重なる位置関係に設置されている。４枚の上段ソーラーパネル１０１は、それぞれ直交配置されており、４枚の下段ソーラーパネル２０１も同様に直交配置されると共に、パネル間の間隔が均等になるようにすると、４５度ずつの間隔と言う配置になる。本実施形態では、地面に対して水平に上段ソーラーパネル１０１および下段ソーラーパネル２０１が開かれて面状に形成されるとしたが、太陽光の放射方向に向かって開かれるので、水平に限定されない。
【００２７】
本実施形態にかかるソーラーパネルシステム１は、図２に示すように、下段部材２００と比較すると地面に対して鉛直方向上方に位置する上段部材１００と、ソーラーパネルシステム１の使用時、上段部材１００の端部に面状に開かれ、太陽エネルギーを充填するための上段ソーラーパネル１０１と、同じく下段部材２００と比較すると地面に対して鉛直方向上方に位置する空間１０２を備える。
【００２８】
また、本実施形態にかかるソーラーパネルシステム１は、上段部材１００と比較すると地面に対して鉛直方向下部に位置する下段部材２００と、ソーラーパネルシステム１の使用時、下段部材２００の端部に面状に開かれ、太陽エネルギーを充填するための下段ソーラーパネル２０１と、同じく上段部材１００と比較すると地面に対して鉛直方向下方に位置する空間２０２を備える。
【００２９】
上段空間１０２は、上段部材１００における鉛直方向略中央、地面に対して水平方向外側端に位置する。ソーラーパネルシステム１の使用時において、上段空間１０２は、上段ソーラーパネル１０１を収納可能とする。下段空間２０２は、下段部材２００における鉛直方向略中央、地面に対して水平方向外側端に位置する。下段空間２０２は、下段ソーラーパネル２０１を収納可能とする。
【００３０】
図２、図３を用いて、本実施形態にかかるソーラーパネルシステムの上段部材とその連結部分の構成、作用について説明する。図３は、本実施形態にかかる本実施形態にかかるソーラーパネルシステムの上段部材を説明するための図である。図２、図３に示す、本実施形態にかかるソーラーパネルシステム１は、上段部材１００と、下段部材２００を有する。なお、上段部材１００と、下段部材２００が有する部材の機能は同一であり、上段部材１００の説明をしたものにあたっては、下段部材２００の説明を一部省略する。また、１枚のソーラーパネルと他のソーラーパネルが有する構成、機能は同一である。
【００３１】
上段部材１００は、上段ソーラーパネル１０１を上段スライド部材１３に固定する上段固定部１２と、上段ソーラーパネル１０１をスライドさせる上段スライド部材１３と、４枚のそれぞれの上段ソーラーパネル１０１を軸部材３０に連結させるとともに上段ソーラーパネル１０１を回転させる上段回転部材１５と、上段ソーラーパネル１０１のスライドを固定および解除する上段スライド固定部材１８と、を有する。
【００３２】
上段固定部１２は、上段ソーラーパネル１０１を上段スライド部材１３の端部に固定する。上段部材１００は、上段スライド部材１３を端部に有し、上段部材１００は、軸部材３０と連結されているため、上段ソーラーパネル１０１の端部は、軸部材３０の端部に形成される。上段スライド部材１３は、隣接する２つの上段連結部材１５の間に位置する。
【００３３】
上段スライド部材１３は、ソーラーパネルシステム１の使用者によって上段ソーラーパネル１０１が開かれる際、太陽光の放射方向側に上段ソーラーパネル１０１をスライドさせる。具体的には、上段ソーラーパネル１０１は、上段スライド部材１３によって中心１０から収縮方向とは逆の方向にスライドされる。これにより、上段ソーラーパネル１０１は、中心１０から収縮方向とは逆の方向に延伸される。
【００３４】
上段回転部材１５は、上段ヒンジピン１４を備える。上段回転部材１５は、上段ソーラーパネル１０１を開かれた状態から閉じられる際に、上段回転部材１５が備える上段ヒンジピン１４を支点とし、上段回転部材１５が備える１６を上段軸１６として、上段ソーラーパネル１０１を軸部材３０の端部より先の延伸方向側に回転させる。上段ソーラーパネル１０１は、地面に対してほぼ鉛直に閉じるように折り畳まれる。
【００３５】
上段スライド固定手段１８は、空間１０２に上段系止部１９を有する。上段スライド固定手段１８は、上段ソーラーパネル１０１が上段スライド部材１３によってスライドされた時、上段ソーラーパネル１０１を開いた状態に固定する。上段系止部１９は、上段スライド固定手段１８の先端を系止する（ロックする）。具体的には、上段スライド固定手段１８は、上段ソーラーパネル１０１が上段スライド部材１３によって中心より収縮方向とは逆の方向側にスライドされ、再度、上段ソーラーパネル１０１が上段スライド部材１３によって中心より収縮方向側にスライドすると、スライド部材１３が上段系止部１９の系止によってスライドが固定される。これにより、上段ソーラーパネル１０１が開かれた状態が固定される。
【００３６】
上述した、再度、上段ソーラーパネル１０１が上段スライド部材１３によって中心より収縮方向側にスライドされ、スライド部材１３が上段系止部１９の系止によってスライドが固定された状態では、上段ソーラーパネル１０１の先端部分は、空間１０２に収納されている。これによって、先端部分が上段空間１０２によって収納されているため、上段ソーラーパネル１０１の中落ちを防止することができる。
【００３７】
上段系止部１９によって上段スライド固定手段１８の先端が系止され、上段ソーラーパネル１０１が開いた状態に固定された状態から再び、スライドさせると、上段ソーラーパネル１０１が中心より収縮方向とは逆の方向側に引っ張られることにより、系止部１９の系止が外れ、上段ソーラーパネル１０１を開いた状態の固定が解除される。固定が解除されると、上段スライド手段１３による上段ソーラーパネル１０１をスライドできる状態に戻る。また、固定が解除されているため、上段ソーラーパネル１０１が回転部材１５によって回転可能な状態となる。
【００３８】
このように、１枚１枚の各々の上段ソーラーパネル１０１が上段スライド部材１３によって中心１０より外側の方向に延びるようにスライドされ、上段スライド固定手段１８が上段スライド部材１３によるスライドを固定する。これによって、ソーラーパネルシステム１の使用者によって上段ソーラーパネル１０１が開かれた時、上段部材１００全体として見れば、４枚の上段ソーラーパネル１０１は、面状に開かれている。
【００３９】
また、上段ソーラーパネル１０１は、面状に開いた状態から使用者によって閉じられる際、上段スライド固定手段１８によって固定が解除され、上段スライド部材１３によって中心１０から太陽光の放射方向にスライドされて延伸し、上段回転部材１５によって回転されて閉じられる。このようにして上段ソーラーパネル１０１は、折り畳まれる。
【００４０】
図３、図９を用いて下段部材とその連結部分の構成、作用について説明する。図９は、本発明の実施形態にかかるソーラーパネルシステムの下段部材について説明するための裏面の断面図である。下段部材２００についても上段部材１００と同様の構成である。上段ソーラーパネル１０１に対応する下段ソーラーパネル２０１、上段固定部１２に対応する下段固定部２２、上段スライド部材１３に対応する下段スライド部材２３、上段ヒンジピン１４に対応する下段ヒンジピン２４、上段回転部材１５に対応する下段回転部材２５、上段軸１６に対応する下段軸２６、上段スライド固定部材１８に対応する下段スライド固定部材２８、上段系止部１９に対応する下段系止部２９、にそれぞれ置き換えたものである。以上の下段部材２００の各構成について、構成及び対応関係は上段部材１００と同様である。
【００４１】
図９に示すように、１枚１枚の下段ソーラーパネル２０１は、図３で説明した２枚の上段ソーラーパネル１０１の間に配置され、全体で見た時、４枚の下段ソーラーパネル２０１は、４枚の上段ソーラーパネル１０１の間隙に形成されている。また、図９に示すように、下段ソーラーパネル２０１は、直交配置され、パネル間の間隔が均等になっている。
【００４２】
下段ソーラーパネル２０１は、使用者によって開かれた状態から閉じられる際に、下段回転部材２５が備える下段ヒンジピン２４を支点とし、下段回転部材２５が備える２６を下段軸２６として、地面に対して鉛直方向下方に回転する。つまり、使用者によって下段ソーラーパネル２０１が開かれた状態から、下段ソーラーパネル２０１より内側に位置する本体側に回転するように閉じられる。このように、上段部材１００は、上段ソーラーパネル１０１を面状に開いた状態から、軸部材３０の端部より先の延伸方向側に回転させる上段回転部材１５を備え、下段部材２００は、下段ソーラーパネル２０１を面状に開いた状態から、軸部材３０の本体側の方向に回転させる下段回転部材２５を備える構成により、上段、下段の全てのソーラーパネルをコンパクトに折り畳むことができる。
【００４３】
なお、本実施形態では、上段および下段部材に空間を備え、空間に上段および下段のソーラーパネルが収納される形態を説明したが、空間が無くても構わない。その場合であっても、上段および下段ソーラーパネルは、上段および下段のスライド固定部材によりスライドが固定されているため、安定的に固定され、上段および下段の系止部を備えることにより、安定的にスライドが固定される。この場合であっても、各ソーラーパネルが地面等に中落ちしされない。
【００４４】
図４及び図８を用いて、本実施形態にかかるソーラーパネルシステムのエネルギー変換効率および各構成部品について説明する。図４は、パネル収納時の各構成部材を示す図である。図８は、本発明の実施形態にかかるバッテリー引き出し部を示す図である。
【００４５】
本実施形態にかかるソーラーパネルシステム１は、付属部品として、各構成部材である三脚３００、バッテリー４００を備える。図８に示すように、バッテリー４００は、電源の引き出し口として、ＵＳＢ（Ｕｎｉｖｅｒｓａｌ  Ｓｅｒｉａｌ  Ｂｕｓ）端子であるＵＳＢ４１、直流端子であるＤＣ（Ｄｉｒｅｃｔ  Ｃｕｒｒｅｎｔ）４２を備える。三脚３００は、本体のソーラーパネルシステム１が使用される際に、本体のソーラーパネルシステム１を地面から、安定的に保持するためのものである。ＵＳＢ４１は、例えば、パソコンや、携帯電話等の端末への電力供給を行うインターフェースである。ＤＣ４２は、同様に外部機器への電力供給を可能とするインターフェースである。
【００４６】
バッテリー４００は、三脚３００に取り付け上段及び下段ソーラーパネルと連結可能である。バッテリー４００は、ＵＳＢ４１、もしくは、ＤＣ４２を通して、上段及び下段ソーラーパネルのモジュール部分から外部機器へと電力供給を可能とし、太陽エネルギーの充電を可能とする。また、上述した上段部材および下段部材は、上段及び下段ソーラーパネルを太陽光への入射方向に向けて開く構成であるが、三脚３００もしくは軸部材３０部分には、上述した上段部材および下段部材の太陽光への入射方向を向ける角度を調整する角度調整部を備えても良い。これにより、太陽との仰角に合わせて最大の出力を得られるように、調整することができる。日本の経緯から仰角は、例えば、略２０度から４０度になる、例えば、東京では、平均的には、３５度の仰角とすることが好ましい。角度調整部は、日射量に合わせた設置を可能とする。
【００４７】
このように、本実施形態にかかるソーラーパネルは、付属部品として三脚３００およびバッテリー４００を備えることで、電気エネルギーの大容量を後押しし、太陽エネルギーの変換効率を高く維持することができる。
【００４８】
次に、本実施形態にかかるソーラーパネル１０１について説明する。ソーラーパネル１０１は、例えば、縦３００ｍｍφ横６０ｍｍφである。この場合は、ソーラーパネル１０１使用時は、水平方向３００ｍｍφの長さ、奥行方向６０ｍｍφの長さである。ソーラーパネル１０１のモジュール部分は、例えば、縦２８２ｍｍφ、横５２ｍｍφである。ソーラーパネル１０１のモジュール部分以外の部分は、例えば、ＰＥＴ樹脂のラミネート素材で保護されている。ラミネート素材は、耐衝撃、防水に優れ、かつ、軽量性に優れる。
【００４９】
本実施形態にかかるソーラーパネルシステム１が成し得る効果について、従来の問題点および解決を含め説明する。
【００５０】
従来の一般的なソーラーパネルは、低価格だとシリコンのセルが使用されている。単結晶セルは、低価格な装置であるが、２、５Ｗ×８枚では、総出力が２０Ｗあまりとなり、非力となるケースが高い。また、モバイルバッテリーをソーラーパネルで充電するという実験を試みると、２０Ｗ以下のパネルは、８時間以上の太陽に当てる必要があり、使用者から、１日で充電できず、実用できないという言葉が出てくる状況も実際に存在した。
【００５１】
また、スマートフォン等の小さな電子機器として、パワーバンク（充電器）への供給パワーとしては、十分な出力ではあるが、近年需要が拡大しているその上でのポーダブルバッテリーと呼ばれる、ＡＣインバータを搭載した蓄電装置への供給源としても、２０Ｗでは、若干物足りない。
【００５２】
また、折り畳み式で高出力を実現するためには、変換効率１７パーセント以上のソーラーパネルを採用しなければならない。しかし、本実施形態のように、ソーラーパネルを採用している場合、例えば、高出力のモジュールを８枚使用し、１枚の出力が、３Ｗ×８枚で２４Ｗの出力を得ることができる。
【００５３】
また、本実施形態のように、小型で持ち運びできるソーラーパネルで２４Ｗの高出力は、スマートフォンの充電器として、販売されているモバイルパワーバンクだけでなく、産業用として近年市場を伸ばしているポータブルパワーバンクのソーラーとしても使用可能なＷ数を備えるため、大きく市場を拡大する可能性が高く、需要が極めて大きい。
【００５４】
さらに、本実施形態にかかるソーラーパネルによれば、可般性に優れる構成を備えているため、例えば、災害救助、非常通信等、コアな部分に用いられる非安価なケースにも、使用される可能性が存在する。このような現場での活躍も期待ができる。
【００５５】
図５を用いて、ソーラーパネルを収納する容器と、持ち運びについて説明する。図５は、ソーラーパネルを収納する容器を示す図である。
【００５６】
ソーラーパネル１０１を容器５００は、使用者が本実施形態にかかるソーラーパネル１０１を持ち運び可能とする紐５０を備える。紐５０は、使用者が手で持って容器５００を運ぶことも可能であれば、肩にかけて、持ち運びも可能とする。本実施形態にかかる容器５００は、例えば、６５ｍｍφ×６００ｍｍ（長さ）程度の円筒形状である。これは、例えば、ソーラーパネル１０１を閉じて収納した際の形状である。
【００５７】
また、本実施形態にかかる容器５００は、例えば、三脚を含めて、６００ｍｍφ×４５０ｍｍ（高さ）程度の大きさの形状である。大きいドラム缶形状のバッグや、スーツバッグ等の持ち運び不便なものとは相違し、手軽な大きさの形状である。このように、本実施形態にかかるソーラーパネルシステムは、太陽エネルギーの変換効率を高く維持しつつ、持ち運びの容易性も有する。
【００５８】
また、本実施形態によれば、本体のソーラーパネルシステム１は、収納時に各パネルが折り畳み可能な形状を有し、軸部材と一体として容器５００を納めることができ、容器５００は円筒形な形状および紐５０を備えるため、使用者の両手の邪魔とはならない、という効果を備える。また、近年需要が増しているアウトドアニーズに応えるだけでなく、災害時等の緊急事態にも応えることができる。災害時には、両手が塞がれず、他の救援物資を運ぶことや、肩にかけたまま、人助けが可能となる。
【００５９】
さらに、本実施形態によれば、ソーラーパネル１０１は、防水機能を有するため、アウトドア、例えば、釣り、山岳、防災面での用途としても利便性を有する。
【００６０】
図６は、本発明の実施形態にかかるソーラーパネルシステムの展開状態を示す第１の図である。図４及び図５に示したソーラーパネルシステムの収納状態を、実際に太陽光を受光して利用するために展開するが、図６に示した脚部にソーラーパネルを取り付け、少し開いた状態を図６に示す。
【００６１】
図７は、本発明の実施形態にかかるソーラーパネルシステムの展開状態を示す第２の図である。図４及び図５の収納状態から、図６に示したように途中まで開いたものを、完全に利用状態まで展開したものを図７に示す。図７に示した展開状態でソーラーパネルシステムを屋外に設置して、太陽光を受光して利用する。利用後の収納は、図６の状態を経て、図５の状態として、図４の状態で持ち運んで利用することにより、運搬する。
【００６２】
以上、本発明について実施例を用いて説明したが，本発明の技術的範囲は上記実施例に記載の範囲には限定されない。上記実施例に、多様な変更又は改良を加えることが可能であることが当業者に明らかである。その様な変更又は改良を加えた形態も本発明の技術的範囲に含まれ得ることが、特許請求の範囲の記載から明らかである。
【符号の説明】
【００６３】
１    ソーラーパネルシステム
１２    上段固定部
１３    上段スライド部材  
１４    上段ヒンジピン
１５    上段回転部材
１６    上段回転軸
１８    上段スライド固定部材
１９    上段系止部
２２    下段固定部
２３    下段スライド部材  
２４    下段ヒンジピン
２５    下段回転部材
２６    下段回転軸
２８    下段スライド固定部材
２９    下段系止部
４１    ＵＳＢ
４２    ＤＣ
５０    紐
１００    上段部材
１０１    上段ソーラーパネル
１０２    上段空間
２００    下段部材
２０１    下段ソーラーパネル
２０２    下段空間
３００    三脚
４００    バッテリー
５００    容器
【図１】
2019122143.tif 000003
【図２】
2019122143.tif 000004
【図３】
2019122143.tif 000005
【図４】
2019122143.tif 000006
【図５】
2019122143.tif 000007
【図６】
2019122143.tif 000008
【図７】
2019122143.tif 000009
【図８】
2019122143.tif 000010
【図９】
2019122143.tif 000011